(57)【要約】【課題】キーボード装置のケーブル部材を使用時の状態にあわせて適正な長さでキーボード装置から延設できるようにする。【解決手段】内部に制御部を備え上面２１にオペレータ入力用のキー２２が配置されたキーボード本体２０と、基部３２が前記制御部に接続され、先端部に配置した接続端子３１が専用情報処理装置１００のキーボード接続端子１０１に接続されるケーブル部材３０と、を備えたキーボード装置１０において、キーボード本体２０の反オペレータ側内部にキーボード本体２０の幅方向に延設されると共に、キーボード本体２０の下面２３で外部に連通する開口部４１と、その幅方向端部の少なくとも一方にケーブル部材が挿通できるケーブル部材挿通孔４２を備え、ケーブル部材３０の一部を収納して、キーボード本体２０から延設されるケーブル部材の長さを調節できるものとしたケーブル部材収納室４０を備える。【選択図】図１
2009009479.tif 000002
【特許請求の範囲】
【請求項１】
内部に制御部を備え上面にオペレータ入力用のキーが配置されたキーボード本体と、
基部が前記制御部に接続され、先端部に配置した接続端子部が情報処理装置の接続部に接続されるケーブル部材と、を備えたキーボード装置において、
前記キーボード本体の反オペレータ側内部に前記キーボード本体の幅方向に延設されると共に、キーボード本体の下面で外部に連通する開口部と、その幅方向端部の少なくとも一方に前記ケーブル部材が挿通できるケーブル部材挿通孔とを備え、前記ケーブル部材の少なくとも一部を収納して、前記キーボード本体から延設されるケーブル部材の長さを調節できるものとしたケーブル部材収納室を備えることを特徴とするキーボード装置。
【請求項２】
前記ケーブル部材収納室は、前記ケーブル部材を折り返した状態で収納できる大きさを備えることを特徴とする請求項１記載のキーボード装置。
【請求項３】
前記ケーブル部材収納室の内壁には、前記ケーブル部材の浮き上がりを防止するケーブル係止爪部が形成されていることを特徴とする請求項１又は２記載のキーボード装置。
【請求項４】
前記情報処理装置は、キーボード装置以外の他の入力デバイスが前記ケーブル部材とは別の他のケーブル部材で接続できるものであり、
前記ケーブル部材挿通孔は、前記ケーブル部材収納室の幅方向の両側に、前記ケーブル部材と前記他のケーブル部材とを並列して連通できる形状に開設され、
前記ケーブル部材収納室は、前記他のケーブル部材であってキーボード本体の幅方向に延設されるケーブル部材の中間部を収納できる大きさを備えるものであることを特徴とする請求項１乃至３のいずれか記載のキーボード装置。
【請求項５】
前記ケーブル部材収納室は、
キーボード本体上面の裏側に形成され、前記他のケーブル部材を収納する第１の収納部と、
前記第１の収納部に隣接すると共に前記開口部に臨んで、奥行き方向の寸法が前記第１の収納部より大きく形成され前記ケーブル部材を収納する第２収納部と、を備えることを特徴とする請求項４記載のキーボード装置。
【請求項６】
前記開口部を取り外し自在に塞ぐ蓋部材を備えることを特徴とする請求項１乃至５のいずれか記載のキーボード装置。
【請求項７】
前記キーボード本体には、キーボード本体の下面に対して立ち上がり形成された立設面部を備え、前記立設面部は、前記キーボード本体の手前側を上方に向けて配置したときキーボード装置をキーボード装置の使用状態における配置面上に立設して載置できる平面状の接地面を備えて形成されていることを特徴とする請求項１乃至６のいずれか記載のキーボード装置。
【発明の詳細な説明】
【技術分野】
【０００１】
本発明はキーボード装置に係り、特に内部に制御部を備え上面にオペレータ入力用のキーが配置されたキーボード本体と、基部が前記制御部に接続され、先端部に配置した接続端子部が情報処理装置の接続部に接続されるケーブル部材と、を備えたキーボード装置に関する。
【背景技術】
【０００２】
コンピュータ等の情報処理装置の入力装置としてキーボード装置が使用される。図９は従来のキーボード装置を情報処理装置と共に示す斜視図である。キーボード装置２１０は、上面にデータ入力用のキー２１１が配置され内部に制御部（図示していない）を備えたキーボード本体２１２と、基部２２１がキーボード本体２１２に接続され、先端に配置されたＰＳ／２規格やＵＳＢ規格の接続端子２２２が情報処理装置２３０に接続されたケーブル部材２２０とを備えている。キーボード装置２１０は、前記接続端子２２２を情報処理装置２３０のキーボード接続端子２３１に接続して情報処理装置２３０と電気的に接続することにより、データの入力を行えるようにしている。また、情報処理装置２３０には他の入力装置としてマウス装置２４０が接続されていることがある。このマウス装置２４０は、先端に接続端子２５１が設けられたマウス接続ケーブル２５０で情報処理装置２３０のマウス接続部２３２に接続されている。
【０００３】
このようなキーボード装置においては、ケーブル部材２２０の長さは、キーボード装置２１０と情報処理との位置関係に柔軟に対応できるように、長めに設定していることが多い。即ち、キーボード装置２１０は、オペレータの直前に配置されるのが一般的であるのに対して、情報処理装置２３０の配置位置はキーボード装置２１０が配置されるテーブルの奥側に配置されることの他、テーブル下の床上に配置されることがあり、キーボード装置２１０と情報処理装置２３０との距離寸法が大きくなることがあり、コンピュータがどのような位置に配置されても対応できるようになっている。
【０００４】
キーボード装置を使用しないとき、ケーブル部材をキーボード装置の下面側に収納するようにしたキーボード装置が提案されている。
【０００５】
特許文献１には、先端にプラグ部を配置した接続ケーブル部材を備えたキーボード装置において、キーボード装置のケースに、接続ケーブル部材を収納する凹部と、プラグ部を収容するためのプラグ保持部とを備え、凹部に接続ケーブル部材を収納すると共に、プラグ保持部内に該プラグ部を保持できしたものが記載されている。
【０００６】
【特許文献１】実開平６−５９９２７号公報
【発明の開示】
【発明が解決しようとする課題】
【０００７】
ところで、このようにキーボード装置は実際の使用態様として情報処理装置の手前側に配置し、オペレータが入力キーを操作してデータの入力が行われる場合がある。
【０００８】
このような配置状態は、情報処理装置本体、モニタ装置、プリンタ装置を一体に形成された形態を備えた情報処理装置では一般的になる。
【０００９】
しかしながら、このような場合、キーボード装置のケーブル部材が長すぎるため、ケーブル部材が机上に引き回された状態となり、作業の邪魔になる場合があるという問題がある。また、このようなケーブル部材が引き回された状態では見栄えもよくない。
【００１０】
そこで本発明は、キーボード装置のケーブル部材を使用時の状態にあわせて適正な長さに調整してキーボード装置から延設することができるキーボード装置を提供することを目的とする。
【課題を解決するための手段】
【００１１】
本発明において上記課題を解決するための手段は、内部に制御部を備え上面にオペレータ入力用のキーが配置されたキーボード本体と、基部が前記制御部に接続され、先端部に配置した接続端子部が情報処理装置の接続部に接続されるケーブル部材と、を備えたキーボード装置において、前記キーボード本体の反オペレータ側内部に前記キーボード本体の幅方向に延設されると共に、キーボード本体の下面で外部に連通する開口部と、その幅方向端部の少なくとも一方に前記ケーブル部材が挿通できるケーブル部材挿通孔とを備え、前記ケーブル部材の少なくとも一部を収納して、前記キーボード本体から延設されるケーブル部材の長さを調節できるものとしたケーブル部材収納室を備えることを特徴とするキーボード装置である。
【発明の効果】
【００１２】
本発明によれば、情報処理装置にキーボード装置のケーブル部材を接続した状態において、余ってしまうケーブル部材の一部をケーブル部材収納室に収納して、キーボード本体から延設するケーブル部材の長さを調整することができ、キーボード装置から情報処理装置までのケーブル部材の長さを操作の邪魔にならない適正なものとすることができる。
【発明を実施するための最良の形態】
【００１３】
以下本例に係るキーボード装置の実施の形態例を説明する。図１は実施の形態例に係るキーボード装置を情報処理装置と共に示す斜視図、図２はキーボード装置の下面を示す斜視図、図３は蓋部材を取り外した状態のキーボード装置を示す下面からの斜視図、図４は蓋部材を示す斜視図、図５はケーブル部材をケーブル部材収納部に折り返して収納した状態を示すキーボード装置の下面からの斜視図、図６はキーボード装置の側端面を示す拡大側面図、図７はキーボード装置の底面図、図８はキーボード装置の断面図である。
【００１４】
本例に係るキーボード装置１０は、図１に示すように、事務用の専用情報処理装置１００の入力装置として用いられる。専用情報処理装置１００には、入力装置としてキーボード装置１０の他ポインティングデバイスであるマウス装置６０が接続されている。この専用情報処理装置１００には、モニタ装置１１０及びプリンタ装置１２０が装置本体１３０に一体に形成されている。
【００１５】
本例では、キーボード装置１０は、図１に示すように、専用情報処理装置１００の直前に配置される。キーボード装置１０は、その上面２１にオペレータが操作するキー２２が配置された合成樹脂製のキーボード本体２０を備えている。キーボード本体２０からは先端にＰＳ／２規格の接続端子３１が配置されたキーボード接続用のケーブル部材３０が延設されている。キーボード装置１０の接続端子３１は専用情報処理装置１００の前面左下側に配置されたキーボード接続端子１０１に接続される。キーボード接続用のケーブル部材３０は、専用情報処理装置１００との接続の多様性を考慮してキーボード装置１０とを接続するのに十分な長さを備える。
【００１６】
また、マウス装置６０は、左右ボタン６１，６２、ホイール６３等を備えたマウス装置本体７０を備え、このマウス装置本体７０からは先端にＵＳＢ規格の接続端子８１が配置された他の接続ケーブル部材であるマウス接続ケーブル部材８０が延設されている。本例では、マウス装置６０はオペレータが右手で操作するため、前記キーボード装置１０の右側に配置される。また、マウス装置６０の接続端子８１は専用情報処理装置１００の前面左下側のマウス接続端子１０２に接続される。マウス接続ケーブル部材８０はキーボード装置１０の幅方向に左から右に延設されることになる
キーボード装置１０のキーボード本体２０の内部には制御部である制御基板（図示していない）が配置されている。前記ケーブル部材３０の基部は制御基板に接続されている。また、キーボード本体２０の奥側には、図２及び図３に示すように、キーボード本体２０の幅方向に沿ってケーブル部材収納室４０（図３参照）が形成されている。ケーブル部材収納室４０は開口部４１をキーボード本体２０の下面２３に形成して配置されている。前記ケーブル部材３０はこのケーブル部材収納室４０内部でその基部３２が前記制御基板に接続されている。
【００１７】
前記ケーブル部材収納室４０の開口部４１には、蓋部材５０が取り外し自在に配置される。前記開口部４１には蓋部材５０を係止する係止凹部４４が形成されている。また、キーボード本体２０の下面２３には設置片２４が配置されている。
【００１８】
また、ケーブル部材収納室４０は、前記キーボード本体から延設されるケーブル部材の長さを調節できる前記ケーブル部材を折り返して収納できる大きさである。また、ケーブル部材収納室４０は、図８に示すように、そのキーボード本体２０の上面２１側に形成した第１収納部４７と、前記第１収納部４７に隣接して形成され奥行き方向の寸法Ｈが前記第１の収納部の奥行き方向の寸法ｈより大きく形成された第２収納部４８とを備える。このため、ケーブル部材収納室４０は、図８に示すように、その断面形状を略Ｌ字状となっている。
【００１９】
前記蓋部材５０は合成樹脂製の部材であり、図４に示すように、前記開口部４１を覆う板状の蓋部材本体５１と、この蓋部材本体５１に形成され弾性的に変形して前記係止凹部４４に係合する略Ｕ字形の係止部５２とを備えている。
【００２０】
なお、蓋部材５０はその開口部４１との接合部にヒンジを介してキーボード本体２０に取り付け、キーボード本体２０に対して開閉するように形成してもよい。
【００２１】
前記ケーブル部材収納室４０には、その幅方向端部の両側にケーブル部材挿通孔４２，４３が開設されている。キーボード本体２０を使用状態としたとき右側に位置するケーブル部材挿通孔４２は、図６に示すように、前記ケーブル部材３０及びマウス接続ケーブル部材８０を挿通できる大きさであり、ケーブル部材３０及びマウス接続ケーブル部材８０の専用情報処理装置１００への接続端子配置側の一端側を外部に延設するために使用される。また、同じく左側に位置するケーブル部材挿通孔４３は、マウス接続ケーブル部材８０を挿通できる大きさであり、マウス接続ケーブル部材８０のマウス装置本体７０への接続側のケーブルを延設するために使用される。
【００２２】
前記ケーブル部材収納室４０の奥側の壁部４６には、図３及び図５に示すように、ケーブル部材収納室４０の内方に向けケーブル部材収納室４０内に収納したケーブル部材３０及びマウス接続ケーブル部材８０の浮き上がりを防止する係止爪部４５が形成されている。収納されたケーブル部材３０及びマウス接続ケーブル部材８０は係止爪部４５で浮き上がりが抑制され、ケーブル部材収納室４０からのはみ出しが防止され、ケーブル部材収納室４０内に収納される。
【００２３】
従って、キーボード装置１０を専用情報処理装置１００の手前側に設置して使用するときには、まず、図５に示すように、マウス装置６０のマウス接続ケーブル部材８０の中間部８２を右側のケーブル部材挿通孔４２から左側のケーブル部材挿通孔４３まで配置する。これにより、マウス接続ケーブル部材８０の中間部８２は、ケーブル部材収納室４０の第１収納部４７に配置できる。
【００２４】
そして、キーボード装置１０のケーブル部材３０を、ケーブル部材挿通孔４３からの延設長さが専用情報処理装置１００までの適正長さとなるように、ケーブル部材収納室４０内で適宜折り返して収納する。このとき、ケーブル部材３０は、第２収納部４８に配置するようにするとよい。そして、ケーブル部材３０をケーブル部材収納室４０の係止爪部４５に引っ掻け、マウス接続ケーブル部材８０とケーブル部材３０とがケーブル部材収納室４０内からはみ出ないようにし、蓋部材５０でケーブル部材収納室４０の開口部４１を閉塞する。
【００２５】
これにより、キーボード本体２０から専用情報処理装置１００に向け延設されるケーブル部材３０の長さは適正なものとなり、ケーブル部材３０は作業の邪魔にならなくなり、見た目がすっきりする。また、マウス装置６０のマウス接続ケーブル部材８０も中間部８２がキーボード本体２０のケーブル部材収納室４０を通過することになるので、邪魔にならくなり、また見た目もすっきりとする。
【００２６】
また、本例では、キーボード本体２０は奥側に立設面部２５が形成されている。この立設面部２５は平面状に形成され、図８に示すように、前記キーボード本体２０の手前側を上方に向けて立設配置したときキーボード装置１０をテーブル面Ｔ上に接触し、キーボード装置１０を安定的に立設配置できるよう平面として形成されている。なお、本例では、立設面部２５にはテーブル面Ｔへの接触片２６（図６参照）を配置している。
【００２７】
このため、キーボード装置１０の手前側を持ち上げて、立設面部２５をテーブル面Ｔ側にして立てかけることで、キーボード装置１０の設置面積を小さいものとすることができ、専用情報処理装置１００の手前側で書類の手作業などを行うスペースを確保することができる。
【図面の簡単な説明】
【００２８】
【図１】実施の形態例に係るキーボード装置を情報処理装置と共に示す斜視図である。
【図２】キーボード装置の下面を示す斜視図である。
【図３】蓋部材を取り外した状態のキーボード装置を示す下面からの斜視図である。
【図４】蓋部材を示す斜視図である。
【図５】ケーブル部材をケーブル部材収納部に折り返して収納した状態を示すキーボード装置の下面からの斜視図である。
【図６】キーボード装置の側端面を示す拡大側面図である。
【図７】キーボード装置の底面図である。
【図８】キーボード装置の断面図である。
【図９】従来のキーボード装置を情報処理装置と共に示す斜視図である。
【符号の説明】
【００２９】
１０  キーボード装置、２０  キーボード本体、２１  上面、２２  キー、２３  下面、３０  ケーブル部材、３１  接続端子、４０  ケーブル部材収納室、４１  開口部、４２  ケーブル部材挿通孔
【図１】
2009009479.tif 000003
【図２】
2009009479.tif 000004
【図３】
2009009479.tif 000005
【図４】
2009009479.tif 000006
【図５】
2009009479.tif 000007
【図６】
2009009479.tif 000008
【図７】
2009009479.tif 000009
【図８】
2009009479.tif 000010
【図９】
2009009479.tif 000011